(57)【要約】【課題】大型で質量の大きい標識体の支持に適しており、設置場所や保管場所への運搬が容易な標識スタンドを提供する。【解決手段】本発明の標識スタンド１は、標識体が取り付けられかつ設置面に対して上下に延伸するように配置されるべき柱体２と、柱体２に摺動自在に外挿されている摺動管３と、柱体２の下端部に上下方向に回転可能なように取り付けられた脚体４と、両端部が摺動管３と脚体４に回転自在に取り付けられた支体５とを備えており、摺動管３を柱体２の上方へ移動させることにより、脚体４が柱体２に沿って閉じている閉脚状態を取るようになっており、摺動管３を柱体２の下方へ移動させることにより、脚体４が柱体２を中心に放射状に開いて脚体４の各々の開放端側が設置面に接触している開脚状態を取るようになっている。この標識スタンド１を使用して、幕状の標識体１１を支持した標識装置１０が構成される。【選択図】図４
2007127915.tif 000002
【特許請求の範囲】
【請求項１】
標識体を支持するための標識スタンドであって、
標識体が取り付けられかつ設置面に対して上下に延伸するように配置されるべき柱体と、
該柱体に摺動自在に外挿されている摺動管と、
前記柱体の下端部に上下方向に回転可能なように取り付けられた、少なくとも3本の脚体と、
両端部が前記摺動管と前記脚体に回転自在に取り付けられた、前記脚体と同数の支体（但し、一本の脚体には一本の支体が取り付けられている。）と、
を備えており、
前記摺動管を前記柱体の上方へ移動させることにより、前記脚体が前記柱体に沿って閉じている閉脚状態を取るようになっており、
前記摺動管を前記柱体の下方へ移動させることにより、前記脚体が前記柱体を中心に放射状に開いて前記脚体の各々の少なくとも一部が設置面に接触している開脚状態を取るようになっていることを特徴とする標識スタンド。
【請求項２】
前記柱体の上端部近傍に標識体取付け部が備えられていることを特徴とする、請求項１に記載の標識スタンド。
【請求項３】
さらに、前記開脚状態において前記摺動管が前記柱体の上方へ移動して前記脚体が閉じるのを抑制する閉脚抑制手段が備えられていることを特徴とする、請求項１または２に記載の標識スタンド。
【請求項４】
さらに、前記閉脚状態において前記摺動管が前記柱体の下方へ移動して前記脚体が開くのを抑制する開脚抑制手段が備えられていることを特徴とする、請求項1〜３のいずれか１項に記載の標識スタンド。
【請求項５】
前記閉脚抑制手段および／または前記開脚抑制手段が、前記柱体の内部に押し入れ可能でありかつ常に前記柱体の外面方向に付勢されている手段であることを特徴とする、請求項３または４に記載の標識スタンド。
【請求項６】
前記開脚状態において前記脚体と前記柱体によって形成される角度が９０〜１２０°であることを特徴とする、請求項１〜５のいずれか１項に記載の標識スタンド。
【請求項７】
前記開脚状態において前記支体と前記柱体によって形成される角度が２０〜７０°であることを特徴とする、請求項１〜６のいずれか１項に記載の標識スタンド。
【請求項８】
前記柱体に、前記摺動管の柱体上での最下位置を定める位置決定手段が備えられていることを特徴とする、請求項１〜７のいずれか１項に記載の標識スタンド。
【請求項９】
前記脚体が４〜８本備えられていることを特徴とする、請求項１〜８のいずれか１項に記載の標識スタンド。
【請求項１０】
前記脚体および／または前記柱体には、前記開脚状態において設置面と接触する部分に、前記脚体および／または前記柱体と設置面との摩擦を増加させるための突出部が設けられていることを特徴とする、請求項１〜９のいずれか１項に記載の標識スタンド。
【請求項１１】
前記脚体が伸縮可能になっていることを特徴とする、請求項１〜１０のいずれか１項に記載の標識スタンド。
【請求項１２】
前記柱体が中空体により形成されていることを特徴とする、請求項１〜１１のいずれか１項に記載の標識スタンド。
【請求項１３】
前記閉脚状態において前記支体が前記脚体内に収容されるようになっていることを特徴とする、請求項１〜１２のいずれか１項に記載の標識スタンド。
【請求項１４】
少なくとも２本の請求項１〜１３に記載の標識スタンドと、
該標識スタンド間に張り渡された幕状の標識体と、
を含む標識装置。
【発明の詳細な説明】
【技術分野】
【０００１】
本発明は、例えば特定の場所を示す目印または人の注意を喚起するための目印となるような文字、記号、図形等の標識が表示された標識体を支持するための標識スタンド、および、標識スタンドと標識体とを含む標識装置に関する。
【背景技術】
【０００２】
文字、記号、図形等の標識を表示する標識体を備えた標識装置において、一般に標識体は尖った先端部を有する標識杭によって支持されているか、または、柱体とこの柱体の差込口を備えた支持台とから構成される標識スタンドにより支持されている。
【０００３】
しかしながら、図７に示すような標識体１０１の支持のために標識杭１０２を使用した標識装置１００を設置面に設置する際には、標識杭１０２の尖った先端部を設置面に打ち込む作業が必要であるため、屋内やコンクリートで覆われた設置面には設置できない上に、設置面が地面である場合にも、打ち込み作業の際に地中に存在する電気ケーブルや水道管等を標識杭１０２の尖った先端部により損傷してしまう恐れがある。
【０００４】
一方、図８に示すような柱体１０４とこの柱体１０４の差込口を備えた支持台１０５とから構成される標識スタンド１０３を標識体１０１の支持のために使用した標識装置１００は、標識スタンド１０３を設置面上に置くだけで使用できるため、上述の問題が無く、例えば工事中の立ち入り禁止区域や危険区域を示す標識装置のような仮設標識装置としても好適に使用できる。しかしながら標識スタンド１０３の設置場所への運搬または使用後の保管場所への運搬の際には、柱体１０４を支持台１０５に差し込んだ状態ではバランスが悪くて持ち運びにくいため、一般に柱体１０４と支持台１０５を別々にして運搬する必要があり、運搬作業に手間がかかる。その上、特に大型の標識体を支持する場合、または質量の大きい標識体を支持する場合には、標識体１０１に例えば風や人間が衝突して標識装置１００が移動したり倒れたりしないように、大型で質量の大きい支持台１０５を使用する必要があるが、この場合には支持台１０５の運搬作業および設置作業が重労働になり、一人の人間が一回で運搬できる数も通常１個に制限されるため、結果的に標識スタンド１０３の運搬および設置作業に長時間を要してしまう。
【０００５】
これに対し、図９に示すような、柱体１０７と、この柱体１０７の上端に取り付けられた標識体取付け部１０８と、柱体１０７の下端に取り付けられた矢印方向に開閉可能な脚体１０９とから構成された標識スタンド１０６も公知である（例えば、特開２００３−３１６２７３号公報参照）。図９に示す標識スタンド１０６は、３本の脚体１０９を所定位置まで開くことにより自立させることができ、一方脚体１０９を矢印方向に閉すことにより、標識スタンド１０６を長い棒状にして運搬することができる。
【０００６】
【特許文献１】特開２００３−３１６２７３号公報
【発明の開示】
【発明が解決しようとする課題】
【０００７】
しかしながら、図９に示す標識スタンド１０６は自立安定性に欠け、一般に小型で軽量の標識体１０１の支持のためにのみ使用されている。特に大型の標識体を支持する場合、または質量の大きい標識体を支持する場合には、標識体１０１に例えば風や人間が衝突して応力が加わると、標識装置１００自体が移動したり倒れたりしやすい。この問題点を解消するために、長くて質量の大きい脚体１０９を使用することも可能である。しかしながら、運搬のために脚体１０９を閉じると、標識スタンド１０６の全長が極めて長くなる上に、脚体１０９部分の重量が増して柱体伸長方向の質量バランスが悪くなるため、運搬しにくくなる。
【０００８】
そこで、本発明の目的は、小型で軽量の標識体ばかりでなく、大型の標識体および質量の大きい標識体の支持のためにも好適に使用できる上に、標識スタンドの設置場所への運搬または使用後の保管場所への運搬が容易な標識スタンドを提供することである。
【課題を解決するための手段】
【０００９】
上述の課題は、標識体を支持するための標識スタンドであって、標識体が取り付けられかつ設置面に対して上下に延伸するように配置されるべき柱体と、該柱体に摺動自在に外挿されている摺動管と、上記柱体の下端部に上下方向に回転可能なように取り付けられた少なくとも3本の脚体と、両端部が上記摺動管と上記脚体に回転自在に取り付けられた上記脚体と同数の支体（但し、一本の脚体には一本の支体が取り付けられている。）とを備えており、上記摺動管を上記柱体の上方へ移動させることにより、上記脚体が上記柱体に沿って閉じている閉脚状態を取るようになっており、上記摺動管を上記柱体の下方へ移動させることにより、上記脚体が上記柱体を中心に放射状に開いて上記脚体の各々の少なくとも一部が設置面に接触している開脚状態を取るようになっていることを特徴とする標識スタンドにより解決される。
【００１０】
本発明において、「上下」の方向とは、標識スタンドを設置面（例えば地面）上に配置したときの上下の方向を意味する。本発明の標識スタンドによると、柱体の下端部に取り付けられた脚体が閉脚時に柱体の側に倒れて閉じられるため、閉脚時にも標識スタンドの全長が長くならず、閉脚状態（脚体が柱体に沿って閉じている状態）における柱体伸長方向の質量バランスも比較的良好であるため、標識スタンドの設置場所への運搬または使用後の保管場所への運搬が容易であり、一人の人間が一度に複数本の標識スタンドを運搬することも可能になる。さらに、柱体の下端部に取り付けられた脚体が開脚時に柱体を中心に放射状に開いて開脚状態（脚体の少なくとも一部が設置面に接触している状態）をとるようになるため、標識スタンドの自立安定性に優れ、開脚状態の標識スタンドを備えた標識装置に例えば風や人間が衝突して応力が加わっても移動したり傾倒したりしにくい。
【００１１】
本発明の標識スタンドにおいて、標識体は開脚状態の標識スタンドの柱体に適当な方法により取り付けられるが、上記柱体に予め標識体取付け部を備えておくことができる。柱体における標識体取付け部の位置は、標識スタンドの開脚状態および閉脚状態への移行に支障がない位置であれば問題がなく、柱体の上端部近傍に標識体の形状に適合した形状の標識体取付け部を設けておくのが好ましい。尚、標識体取り付け部は、柱体の２箇所以上に備えられていてもよい。
【００１２】
本発明の標識スタンドは、スチールやアルミニウムのような金属、特にアルミニウムやアルミニウム合金のような軽金属の他、ＦＲＰ、ポリアクリラートやポリエステルのような樹脂、および木材等により形成することができるが、本発明の標識スタンドの柱体を中空体により形成すると、標識スタンドが軽量化されるため、運搬の容易性がさらに増す。また、本発明の標識スタンドの脚体および支体は、中空体により形成することもでき、または必要に応じて横断面がコ字状またはＣ字状になるように加工された板体により形成して軽量化を図ることもできる。閉脚状態において上記支体が上記脚体内に収容されるように構成すると、閉脚状態の標識スタンドをコンパクトにすることができるため好ましい。
【００１３】
本発明の標識スタンドにはさらに、閉脚状態において摺動管が柱体の下方へ移動して脚体が開くのを抑制する開脚抑制手段を備えることができる。この開脚抑制手段により、閉脚状態の標識スタンドを運搬している間に脚体が開くのを防止することができ、安全に運搬を行うことができる。本発明の標識スタンドにはさらに、開脚状態において摺動管が柱体の上方へ移動して脚体が閉じるのを抑制する閉脚抑制手段を備えることもできる。この閉脚抑制手段により、標識スタンドの開脚状態を維持することができ、また標識スタンドの自立安定性を増すことができる。
【００１４】
上記閉脚抑制手段および／または上記開脚抑制手段は、柱体に付設することもでき、または柱体と摺動管とにそれぞれ付設された相互に係合する手段として構成することもできるが、柱体の内部に押し入れ可能でありかつ常に柱体の外面方向に付勢されている手段として構成するのが好適である。この形態では、脚体の開閉時にこれらの手段を柱体内部に押し入れるだけで脚体の開閉をスムーズに行うことができる。
【００１５】
本発明の標識スタンドには少なくとも３本の脚体が備えられるが、この脚体は４〜８本備えるのが好ましい。脚体の数が多いほど標識スタンドの自立安定性が増すものの、あまり多すぎても自立安定性の向上がもはや期待できなくなる上に全体の質量が増すため好ましくない。
【００１６】
本発明の標識スタンドにおいて、支体の長さと、脚体における柱体との接合部と支体との接合部との間の長さは、閉脚状態においても摺動管が柱体に外挿されているように選択され、かつ、脚体が柱体を中心に放射状に開いて脚体の各々の少なくとも一部が設置面に接触している開脚状態を取ることができるように選択される。開脚状態において、支体と柱体によって形成される角度は２０〜７０°であるのが好ましい。この角度が大きすぎ、開脚状態において摺動管が柱体の下端に近づきすぎても、または、この角度が小さすぎ、開脚状態において支体が柱体に沿うように配置されても、支体による柱体と脚体との間を支える効果が低減し、標識スタンドの自立安定性が低減するため好ましくない。また、開脚状態において、脚体と柱体によって形成される角度は９０°以上、特に９０°〜１２０°であるのが好ましい。この角度が９０°以上であると、凹凸のある設置面にも本発明の標識スタンドを安定に設置することができる。
【００１７】
上記柱体にはさらに、上記摺動管の柱体上での最下位置を定める位置決定手段を備えることもできる。この位置決定手段は、開脚時の脚体と柱体との接合部に加わる負荷が低減させるように設けられる。
【００１８】
本発明の標識スタンドにおいて、脚体が伸縮可能なように構成することもできる。この形態では、開脚状態において脚体を伸ばすことにより、標識スタンドの自立安定性を増加させることができ、閉脚状態において脚体を縮めることにより、標識スタンドをコンパクトにして運搬しやすくすることができる。
【００１９】
また、本発明の標識スタンドにおいて、脚体および／または柱体には、開脚状態において設置面と接触する部分に、脚体および／または柱体と設置面との摩擦を増加させるための突出部を設けておくことができる。この形態では、開脚状態の標識スタンドを備えた標識装置に応力が加わっても標識装置が移動したり傾倒したりしにくくなるため好ましい。この突出部は、ゴムのような弾性材料で構成することもできる。
【００２０】
上述のように、本発明の標識スタンドは、開脚状態での自立安定性に優れているため、特に大型で質量の大きい標識体の支持に適しており、また、複数本の標識スタンドを同時に運搬することができるため、例えば、工事中の立ち入り禁止区域や危険区域を示すための仮設標識装置のような、これらの区域を囲む幕状の標識体を複数の標識スタンドで支持した標識装置のために好適に使用することができる。従って、本発明はまた、少なくとも２本の上述の標識スタンドと、該標識スタンド間に張り渡された幕状の標識体とを含む標識装置に関する。幕状の標識体は、例えば、布製、樹脂製、金属製または木製の板体、あるいは、布製、金属製または樹脂製の網体に、例えば特定の場所を示す目印または人の注意を喚起するための目印となるような文字、図形、記号、模様、色彩等を施すことにより形成することができる。
【発明の効果】
【００２１】
本発明の標識スタンドによると、柱体の下端部に取り付けられた脚体が閉脚時に柱体側に倒れて閉じられるため、標識スタンドの設置場所への運搬または使用後の保管場所への運搬が極めて容易であり、さらに、柱体の下端部に取り付けられた脚体が開脚時に柱体を中心に放射状に開いて脚体の各々の少なくとも一部が設置面に接触するため、標識体を取り付けた後の開脚状態の標識スタンドに応力が加わっても傾倒しにくく、標識スタンドの自立安定性に優れている。従って、本発明の標識スタンドは、特に大型で質量の大きい標識体の支持のために好適に使用することができる。
【発明を実施するための最良の形態】
【００２２】
以下、本発明の実施の形態について、図面を参照しながら説明する。
【００２３】
（第１実施形態）
図１〜３は、本発明の一実施の形態の標識スタンド１の概略図を示している。本実施の形態の標識スタンド１は、金属、樹脂、および木材等により形成することができ、特にアルミニウムやアルミニウム合金のような軽金属により軽量で強靭に形成することができ、主要な構成要素として、柱体２と、柱体２に外挿されている摺動管３と、柱体２の下端部に取り付けられた４本の脚体４と、両端部が摺動管３と脚体４に取り付けられた脚体４と同数（４本）の支体５とを備えている。但し、一本の脚体４には一本の支体５が取り付けられている。図１は、標識スタンド１の開脚状態（脚体４の少なくとも一部が設置面Ｇに接触している状態）を示す平面図であり、図２は、図１の線Ｉ−Ｉを通る面で切断した断面を矢印方向に見た正面図を示している。図３は、図２に対応する標識スタンド１の閉脚状態（脚体４が柱体２に沿って閉じている状態）を示す正面図である。
【００２４】
本実施の形態では、柱体２は中空の円筒体で形成されており、図２に示すように、柱体２の下部の直径が上部の直径よりわずかに大きく形成されており、直径が変わる部分にステップ部２１が存在する。このステップ部２１は、本実施の形態の標識スタンド１において、摺動管３の柱体２上での最下位置を定める位置決定手段２１として機能する。柱体２の下端部近傍の外周面には、脚体４を接続するための脚体接続部２２が放射状に突出して設けられている。脚体接続部２２は、脚体４と同数（４個）存在し、全て同一形状を有しており、それぞれの脚体接続部２２には、脚体接続部２２に脚体４を取り付けるために必要な軸８１を貫通させるための孔２３が設けられている。さらに、柱体２の上端部には、後で標識体を取り付けるための逆Ｕ字状の標識体取付け部２４が設けられており、柱体２の下端には、標識スタンド１を開脚状態で設置面Ｇ上に配置する際の設置面Ｇとの摩擦を増加させるために、突出部２５が設けられている。
【００２５】
円環状の摺動管３は、上述の柱体２に摺動自在に外挿されており、摺動管３の外周面の下方には、支体５を接続するための支体接続部３１が放射状に突出して設けられている。支体接続部３１は、脚体４と同数（４個）存在し、全て同一形状を有しており、それぞれの支体接続部３１には、支体接続部３１に支体５を取り付けるために必要な軸８２を貫通させるための孔３２が設けられている。
【００２６】
４本の脚体４は全て同一の形状を有しており、それぞれ、開脚状態において設置面Ｇと対向する底面とこの底面の縁辺から上方に延びる一対の側面とを有する横断面がコ字状の２本の副脚４１および４２から構成されている。
【００２７】
脚体４を構成する副脚４１の長さは柱体２の長さより短く設定されており、対向する側面の内面間の間隔は、この側面間に脚体接続部２２を挿入可能な間隔に設定されている。そして、副脚４１の一端側には、その側面に、柱体２の脚体接続部２２との接続のために必要な軸８１を貫通させるための孔４１１が設けられている。副脚４１をその側面で柱体２の脚体接続部２２を挟持するように係合させ、脚体接続部２２の孔２３と副脚４１の孔４１１との位置を合わせた後にこれらの孔２３、４１１に軸８１を貫通させることにより、副脚４１を柱体２に対して上下方向に回転自在なように取り付ける。副脚４１の中間位置には、その側面に、副脚４１に支体５を回転自在に取り付けるために必要な軸８３を貫通させるために必要な孔４１２が設けられており、副脚４１の他端側には、その底面に、副脚４１と４２の接続のために必要な副脚４１の伸長方向に伸びる長孔４１３が設けられている。
【００２８】
脚体４を構成する副脚４２の対向する側面の内面間の間隔は、この側面間に副脚４１を挿入可能な間隔に設定されている。副脚４２の一端側の底面の内面には、先端に雄ねじ部を備えた突起部４２１が設けられており、他端側の底面の外面には標識スタンド１の開脚状態における設置面Ｇとの摩擦を増加させるための突出部４２２が設けられている。そして、副脚４２の突起部４２１を副脚４１の底面の長孔４１３に通し、突起部４２１の先端の雄ねじ部にナット部材４２３を係合させることにより、副脚４１に副脚４２を接続する。また、長孔４１３における突起部４２１の配置位置を変更することにより、副脚４１と副脚４２により構成される脚体４の長さを伸縮させることができる。
【００２９】
摺動管３と脚体４の間に取り付けられる４本の支体５も全て同一の形状を有しており、それぞれ中空の４角柱体により形成されている。そして、四角柱体の一対の対向する面は、その内面の間隔が摺動管３の支体接続部３１を挿入可能な間隔に設定されており、その外面の間隔が脚体４の副脚４１内に挿入可能な間隔に設定されている。そして、上述の四角柱体の一対の対向する面の一端から、摺動管３の支体接続部３１との接続のための摺動管接続部５１が伸びており、この摺動管接続部５１には、摺動管３の支体接続部３１との接続のために必要な軸８２を貫通させるための孔５２が設けられている。摺動管接続部５１を摺動管３の支体接続部３１を挟持するように係合させ、摺動管接続部５１の孔５２と支体接続部３１の孔３２との位置を合わせた後にこれらの孔５２、３２に軸８２を貫通させて、支体５が摺動管３に対して上下方向に回転自在なように取り付ける。上述の四角柱体の一対の対向する面の他端からは、脚体４の副脚４１との接続のための脚体挿入部５３が伸びており、この脚体挿入部５３には、副脚４１との接続のために必要な軸８３を貫通させるための孔５４が設けられている。副脚４１内に脚体挿入部５３を挿入し、脚体挿入部５３の孔５４と副脚４１の孔４１２との位置を合わせた後にこれらの孔５４、４１２に軸８３を貫通させて、支体５が脚体４あるいは副脚４１に対して上下方向に回転自在なように取り付ける。
【００３０】
支体５の長さと、脚体４の副脚４１におけるに孔４１１と孔４１２の間の長さ、すなわち脚体４の柱体との接合部と支体との接合部との間の長さは、図３に示す標識スタンド１の閉脚状態において、摺動管３が柱体２に外挿されているように選択され、かつ、脚体４が柱体２を中心に放射状に開いて脚体４の突出部４２２が設置面Ｇに接触している開脚状態を取ることができるように選択される。開脚状態において、支体５と柱体２によって形成される角度（図２のα）は、一般に２０〜７０°に調製される。この角度αが大きすぎ、開脚状態において摺動管３が柱体２の下端に近づきすぎても、または、この角度αが小さすぎ、開脚状態において支体５が柱体２に沿うように配置されても、支体５による柱体２と脚体４との間を支える効果が低減し、標識スタンド１の自立安定性が低減する。また、開脚状態において、柱体２と脚体４（副脚４１）によって形成される角度（図２のβ）は、９０°以上、好ましくは９０〜１２０°に調製される。この角度βが９０°以上であると、凹凸のある設置面Ｇにも本発明の標識スタンド１を安定に設置することができる。支体の長さは、上述の角度α、βの要求を満たすことができるように、一般に脚体４の柱体との接合部と支体との接合部との間の長さの約１．０６〜約２．９倍の長さに設定される。
【００３１】
本実施の形態ではさらに、中空円筒体で形成されている柱体２の内部に、標識スタンド１の開脚状態において摺動管３が柱体２の上方へ移動して脚体４が閉じるのを抑制するための閉脚抑制手段６と、標識スタンド１の閉脚状態において摺動管３が柱体２の下方へ移動して脚体４が開くのを抑制する開脚抑制手段７が挿入されている。図２には、柱体２の閉脚抑制手段６および開脚抑制手段７の挿入部分の縦断面図を併せて示している。本実施の形態における閉脚抑制手段６および開脚抑制手段７は、図示されているように、柱体２の外面方向に付勢されている略Ｕ字状のはじき部材から構成されており、柱体２の内部に押し入れ可能でありかつ常に柱体２の外面方向に付勢されており、閉脚抑制手段６および開脚抑制手段７の先端は、柱体２に設けられた孔２６、２７を通過して柱体２の外方に突き出ている。
【００３２】
閉脚抑制手段６の先端は、孔２６から突き出た状態のときに柱体２に略垂直に伸びる直線部６１と、直線部６１から柱体の外面方向に緩やかに傾斜して伸びた後に柱体中心方向に緩やかに傾斜して伸びる曲線部６２とを有している。開脚状態における摺動管３の上端は、図２に示すように、閉脚抑制手段６の先端の直線部６１により、上方への移動（閉脚状態への移行）が阻止される。一方、直線部６１を柱体２の中心方向に押して柱体２の内部に押し入れた後は、摺動管３が曲線部６２上を滑って柱体２の上方に移動することが可能である。
【００３３】
また、開脚抑制手段７の先端は、孔２７から突き出た状態のときに柱体２に略垂直に伸びる直線部７１と、直線部７１から柱体の外面方向に緩やかに傾斜して伸びた後に柱体中心方向に緩やかに傾斜して伸びる曲線部７２とを有している。閉脚状態における摺動管３の下端は、図３に示すように、開脚抑制手段７の先端の直線部７１により、下方への移動（開脚状態への移行）が阻止され、一方、直線部７１を柱体２の中心方向に押して柱体２の内部に押し入れた後は、摺動管３が曲線部７２上を滑って柱体２の下方に移動することが可能である。
【００３４】
このように構成された本実施の形態の標識スタンド１は、図３に示す閉脚状態の標識スタンド１を設置場所に運搬した後、柱体２を設置面Ｇに垂直になるように、すなわち柱体２が上下方向に伸びるように向け、開脚抑制手段７の先端部を柱体２の内部に押し入れると、摺動管３が曲線部７２上を滑って柱体２の下方に移動し、さらに摺動管３が閉脚抑制手段６の曲線部６２を通過し、位置決め手段２１に摺動管３の下端部が当接して摺動管３が停止する。このとき、閉脚抑制手段６の先端部は柱体２の孔２６から外方に突き出る。この状態で標識スタンド１を設置面Ｇ上に配置すると、脚体４（副脚４２）の突出部４２２が設置面Ｇに接触し、脚体４および支体５を介して摺動管３を柱体２の上方に押し上げる。押し上げられた摺動管３の上端は閉脚抑制手段６の直線部６１に当接し、もはや摺動管３が上方に移動できなくなり、図２に示すような開脚状態が維持される。
【００３５】
図２に示す開脚状態の標識スタンド１を閉脚する際には、閉脚抑制手段６の先端部を柱体２の内部に押し入れ、摺動管３を上方に移動させる。このようにすると、摺動管３が曲線部６２上を滑って柱体２の上方に移動し、さらに摺動管３が開脚抑制手段７の曲線部７２を通過し、同時に脚体４の開放端側が支体５を介して上方に引き上げられ、脚体４が柱体２に沿って閉じる。このとき、開脚抑制手段７の先端部は柱体２の孔２７から外方に突き出、摺動管３がもはや下方に移動できなくなる。また、支体５は横断面がコ字状の脚体４（副脚４１）の内部に収納される。この状態で図３に示すような閉脚状態が維持される。この閉脚状態で、標識スタンド１の設置場所または保管場所への運搬が容易に行われる。
【００３６】
図４は、図１〜３に示す標識スタンド１の複数本と、これらの標識スタンド１の間に張り渡された幕状の標識体１１から構成される標識装置１０の一部を示した概略図である。この図は、幕状の標識体１１を複数本の標識スタンド１により支持した標識装置１０のうち、２本の標識スタンド１を含む部分についての、幕状の標識体１１に沿った平面で切断した部分を断面で示した正面図である。本実施の形態の標識装置１０は、例えば工事中の人の進入を禁止する必要がある危険領域を知らせる目的のために使用され、幕状の標識体１１は網体により構成されており、この網体には危険領域であることが容易に認識できるように赤白、黄黒等の縞模様が施されている。尚、網体は布、金属、樹脂の中から標識装置１０の設置箇所における要求に応じて適宜選択された材料により構成することができ、例えば標識装置１０が発変電所等の電気（電子）機器に接近した箇所に設置される場合には、網体をナイロン等の絶縁性の樹脂により構成することができる。この幕状の標識体１１が危険領域を囲むように配置され、さらに幕状の標識体１１を支持するのに十分な本数の標識スタンド１が開脚状態で標識体１１に沿って配置される。その後、標識体１１の上部を柱体２の標識体取付け部２４に結びつけて固定し、標識体１１の下部を摺動管３に結びつけて固定することにより、標識体１１が標識スタンド１に支持される。本実施の形態の標識スタンド１は、自立安定性に富むため、図４に示すような幕状の大型の標識体１１を支持するのに適しており、標識体１１または標識スタンド１に応力がかかっても、標識体１１が安定に支持される。
【００３７】
（第２実施形態）
図５、６は、本発明の他の実施の形態の標識スタンド１の概略図を示している。この実施の形態の標識スタンド１は、上述の第１実施形態の標識スタンドと同様に、柱体２と、柱体２に摺動自在に外挿されている摺動管３と、柱体２の下端部に上下方向に回転可能なように取り付けられた４本の脚体４と、両端部が摺動管３と脚体４に回転自在に取り付けられた脚体４と同数（４本）の支体とを備えており、板状の標識体１１を支持するために使用される、図５は図２と同様の柱体２に沿った平面で切断した部分を断面で示した正面図であり、図６は図５に対応する閉脚状態を示す正面図である。上述の実施の形態と同様の構成要素には同一の記号を当てて説明を省略し、以下では上述の第１実施形態と異なる点のみ説明する。
【００３８】
本実施の形態の標識スタンド１では、均一な直径の中空円筒体で構成された柱体２の上端に、板状の標識体１１の円筒状の足部１２を挿入するためのカップ状の標識体取付け部２４が設けられている。さらに、摺動管３には固定用チェーン９１が配置されており、柱体２の下部には、柱体２の外面から垂直に伸びた後下方に屈曲した下部係止フック９２が配置されており、柱体２の上端の標識体取付け部２４には、標識体取付け部２４の外面から垂直に伸びた後上方に屈曲した上部係止フック９３が配置されている。
【００３９】
開脚状態では、図５に示すように、固定用チェーン９１が下部係止フック９２に掛けられて開脚状態が維持される。従って、固定用チェーン９１と下部係止フック９２により、閉脚抑制手段が構成される。固定用チェーン９１の長さを調整することにより、開脚状態における、摺動管３の柱体２上での位置、柱体２と脚体４により形成される角度、および、支体５と柱体２により形成される角度を調整することができる。閉脚状態では、図６に示すように、固定用チェーン９１が上部係止フック９３に掛けられて閉脚状態が維持される。従って、固定用チェーン９１と上部係止フック９３により、開脚抑制手段が構成される。また、下部係止フック９２は摺動管３の柱体２上での最下位置を定める位置決定手段としても機能する。
【００４０】
以上、本発明の２つの実施形態について説明したが、本発明は上述の実施の形態に限定されず、本発明の趣旨を逸脱しない範囲内での変更が可能である。例えば本発明の標識スタンドにおいて、柱体に設けられる標識体取付け部の形状は、標識体の形状に依存して適宜に変更され、開脚状態および閉脚状態の移行に支障がなければ、柱体の上端部近傍と下端部近傍の両方にそれぞれ設けられていてもよい。また、標識スタンドの脚体および対応する支体の数は４本に限定されず、開脚状態の標識スタンドが安定に自立するように、少なくとも３本であればよいが、４〜８本であるのが好ましい。さらに、柱体に付設される位置決定手段は、開脚状態における摺動管の下端の直下の位置に設けられる必要はなく、開脚時に脚体と柱体との間の角度が所定角度以上にならないように脚体を下方から支持できる位置に設けられていてもよい。この形態の位置決定手段は、柱体の脚体接合部のさらに下方に、柱体外面から垂直に伸びるように形成される。開脚時に脚体がこの位置決定手段に当接し、脚体と柱体との間の角度が規制され、脚体および支体を介して摺動管の柱体上での最下位置が規定される。
【００４１】
また、例えば本発明の標識装置において、標識スタンド間に張り渡される幕状の標識体は、図４に示すような幅のものに限定されず、標識体の下端が設置面に届くような幅を有していてもよく、この場合には標識体の下端を支体と脚体との接合部に結び付けて固定してもよい。また、幕状の標識体は網体により構成されている必要はなく、布製、樹脂製、金属製または木製の板体で構成された標識体であってもよく、さらに標識スタンド間に張り渡されている幕状の標識体が１枚である必要はなく、柱体の上部に張り渡される標識体と下部に張り渡される標識体とを含んでいてもよい。また、３本以上の標識スタンドを含む標識装置の場合には、隣り合う２本の標識スタンド間にのみ張り渡されている標識体を複数枚含んでいてもよい。
【図面の簡単な説明】
【００４２】
【図１】本発明の一実施形態の標識スタンドの開脚状態を示す平面図である。
【図２】図１に示す標識スタンドの開脚状態を示す正面図である。
【図３】図１に示す標識スタンドの閉脚状態を示す正面図である。
【図４】図１〜３に示す標識スタンドを使用した標識装置を示す概略図である。
【図５】本発明の別の実施形態の標識スタンドの開脚状態を示す正面図である。
【図６】図５に示す標識スタンドの閉脚状態を示す正面図である。
【図７】標識体の支持のために標識杭を使用した従来の標識装置を示す図である。
【図８】標識体の支持のために柱体と支持台とからなる標識スタンドを使用した従来の標識装置を示す図である。
【図９】標識体の支持のために開閉可能な脚体を有する標識スタンドを使用した従来の標識装置を示す図である。
【符号の説明】
【００４３】
１    標識スタンド
２    柱体
２１    位置決定手段（ステップ部）
２４    標識体取付け部
２５    柱体の突出部
３    摺動管
４    脚体
４１、４２  副脚
４２２  脚体の突出部
５    支体
６    閉脚抑制手段
７    開脚抑制手段
１０    標識装置
１１    標識体
９１    固定用チェーン
９２    下部係止フック
９３    上部係止フック
【図１】
2007127915.tif 000003
【図２】
2007127915.tif 000004
【図３】
2007127915.tif 000005
【図４】
2007127915.tif 000006
【図５】
2007127915.tif 000007
【図６】
2007127915.tif 000008
【図７】
2007127915.tif 000009
【図８】
2007127915.tif 000010
【図９】
2007127915.tif 000011